(57)【特許請求の範囲】
【請求項１】
目地を介して隣接する左右の床の隅部に固定される受枠体と、
目地と連通する通水間隙を備え、前記受枠体に両側縁の下部が夫々摺動可能に支持され、両受枠体間に差し渡されて目地を覆うものであり、両側縁の上部から、床隅部上を覆う側部カバーが夫々外方突成されたカバー板と、
前記カバー板の下方位置で、隣接する左右の床の一方に固定されて目地内に配設され、他方の床から延出されて、通水間隙から流下した水を案内する案内板の下端が内部に垂設された通水樋とを備えてなるものであって、
前記カバー板は、モルタル等の床仕上材が充填される浅底状箱枠の左右側面に、下端が前記受枠体に支持される複数の足板を適宜間隔で配設し、各足板の上端に適宜数の縁取り桟を浅底状箱枠の左右側面に沿って横架することにより通水間隙を形成し、該通水間隙の外方で縁取り桟の上端から、床隅部上を覆う側部カバーを外方突成することにより構成されていることを特徴とする床用目地カバー装置。
【請求項２】
目地を介して隣接する左右の床の隅部に固定される受枠体と、
目地と連通する通水間隙を備え、前記受枠体に両側縁の下部が夫々摺動可能に支持され、両受枠体間に差し渡されて目地を覆うものであり、両側縁の上部から、床隅部上を覆う側部カバーが夫々外方突成されたカバー板と、
前記カバー板の下方位置で、隣接する左右の床の一方に固定されて目地内に配設され、他方の床から延出されて、通水間隙から流下した雨水を案内する案内板の下端が内部に垂設された通水樋とを備えてなるものであり、
前記カバー板は、モルタル等の床仕上材が充填される左右に分割された浅底状箱枠を、所定間隔を置いて連結して分割箱枠対を構成し、該分割箱枠対の両浅底状箱枠間に生ずる間隙の上部に適宜数の縁取り桟を、両浅底状箱枠の対向側面に沿って横架することにより通水間隙を形成し、分割箱枠対の左右側縁の上部から、床隅部上を覆う側部カバーを外方突成することにより構成されていることを特徴とする床用目地カバー装置。
【発明の詳細な説明】
【０００１】
【発明の属する技術分野】
本発明は、排水機能を備え、かつカバー板を容易に着脱し得るようにした床用目地カバー装置に関する。
【０００２】
【従来の技術】
隣接する床間に生じる目地を被覆する床用目地カバー装置にあって、厚みのあるカバー板を使用し得るようにした床用目地カバー装置は、本願出願人によって先に考案され、実開平３−７４７０４号公報に開示されている。
【０００３】
この床用目地カバー装置を、図７について簡単に説明すると、
目地ｓを介して隣接する左右の床ｆ，ｆ上に夫々固定される固定枠ａ，ａと、該固定枠ａ，ａの外端部に回動機構ｊ，ｊを介して開閉可能に連結されて上部を側部カバーｂ，ｂとする可動枠ｃ，ｃとによって受枠体ｄ，ｄを構成し、前記固定枠ａ，ａにカバー板ｅの両端縁ｇ，ｇを摺動可能に支持させ、かつ、その上面に前記側部カバーｂ，ｂを被着することにより両受枠体ｄ，ｄ間にカバー板ｅを差し渡し、該カバー板ｅにより目地ｓを覆うようにしている。
【０００４】
ここで前記カバー板ｅの厚みは任意に設定可能であるので、浅底状箱枠ｈ内に床仕上材ｉを充填し得る構成を備えた厚みのあるカバー板ｅが使用可能であり、該カバー板ｅは、可動枠ｃ，ｃを回動機構ｊ，ｊによって上方に回動させた状態で着脱可能となる。このため、可動枠ｃ，ｃとその側部の床面との間に該可動枠ｃ，ｃを回動させ得る操作空隙ｋ，ｋが形成してあり、常時はシーリング材ｎを充填して該操作空隙ｋ，ｋを遮蔽するようにしている。
【０００５】
【発明が解決しようとする課題】
ところで、このような構成からなる従来の床用目地カバー装置は、屋外の人工地盤での使用に適しているが、床面上から目地ｓ内に雨水等を導いて排出する排水機能を備えておらず、従来は逆に目地ｓ間に止水板ｐを張設して目地ｓ内への水の流入を防止するようにしていた。
【０００６】
また、保守点検や交換等でカバー板ｅを取り外す場合には、操作空隙ｋ，ｋに充填されたシーリング材ｎを除去しなければ可動枠ｃ，ｃを上方に回動させることができず、作業後に再びシーリング材ｎで操作空隙ｋ，ｋを埋め戻しているため、保守点検時や交換時等におけるカバー板ｅの着脱作業が面倒であった。
【０００７】
本発明は、従来の実状の改善を試みたものであり、排水機能を備え、カバー板の着脱を容易に行ない得る床用目地カバー装置の提供を目的とするものである。
【０００８】
【課題を解決するための手段】
本発明は、目地を介して隣接する左右の床の隅部に固定される受枠体と、
目地と連通する通水間隙を備え、前記受枠体に両側縁の下部が夫々摺動可能に支持され、両受枠体間に差し渡されて目地を覆うカバー板と、
前記カバー板の下方位置で、隣接する左右の床の一方に固定されて目地内に配設され、他方の床から延出されて、通水間隙から流下した水を案内する案内板の下端が内部に垂設された通水樋とを備えてなることを特徴とするものである。
【０００９】
かかる手段にあって、前記カバー板の両側縁の上部から、床隅部上を覆う側部カバーを夫々外方突成している。
【００１０】
さらに、この手段にあって、モルタル等の床仕上材が充填される浅底状箱枠の左右側面に、下端が前記受枠体に支持される複数の足板を適宜間隔で配設し、各足板の上端に適宜数の縁取り桟を浅底状箱枠の左右側面に沿って横架することにより通水間隙を形成し、該通水間隙の外方で縁取り桟の上端から、床隅部上を覆う側部カバーを外方突成することにより、前記カバー板を構成したり、或は、モルタル等の床仕上材が充填される左右に分割された浅底状箱枠を、所定間隔を置いて連結して分割箱枠対を構成し、該分割箱枠対の両浅底状箱枠間に生ずる間隙の上部に適宜数の縁取り桟を、両浅底状箱枠の対向側面に沿って横架することにより通水間隙を形成し、分割箱枠対の左右側縁の上部から、床隅部上を覆う側部カバーを外方突成することにより、前記カバー板を構成している。
【００１１】
この構成により、雨水や床掃除の汚水等をカバー板の通水間隙から目地内に流入させ、該目地内に配設された通水樋によって排水することができる。また、カバー板は、左右の受枠体に上方から被着されるものであるため、上方にそのまま引き上げるだけで開放でき、その着脱を容易に行なうことができる。
【００１２】
【発明の実施の形態】
本発明の第１の実施形態を図１〜図３について説明する。
図面において、ｆ，ｆは人工地盤を構成する左右の床であって、目地ｓを介して隣接している。そしてこの目地ｓには本発明に係る床用目地カバー装置１が付装され、該目地ｓを遮蔽している。この目地カバー装置１の構成について詳細に説明する。
【００１３】
床ｆ，ｆの隅部Ｂ，Ｂには受枠体２，２が前記目地ｓの長手方向に沿って左右一対に配設される。この受枠体２，２は、断面クランク形に形成され、夫々アンカー３，３により固定される垂直縁２ａ，２ａの下端に内方突成された下部受縁２ｂ，２ｂと、前記垂直縁２ａ，２ａの上端に外方突成された上部受縁２ｃ，２ｃとを備え、該上部受縁２ｃ，２ｃの外端に、上端が床ｆ，ｆの上面と同一高さとなる仕切板２ｄ，２ｄが固着されている。尚、この受枠体２，２は、垂直縁２ａ，２ａと下部受縁２ｂ，２ｂとによってＬ字形に形成することも可能である。
【００１４】
目地ｓ内には、該目地ｓの長手方向に沿って通水樋４が配設される。該通水樋４は、長尺な筺体状に形成され、一方の床ｆに支持金具５を介して固定されており、その底板４ｃに配水管１１が接続されている。該通水樋４の固定側の側縁４ａは上方に延成されて上端にクランク形の取付け部６が形成され、該取付け部６は、一方の受枠体２の下部受縁２ｂの下面に基部を固着して垂設したモルタル止めプレート７ａに固定される。また、取付け部６と下部受縁２ｂとの間に生ずる隙間には止水用のシーリング材８が充填される。
【００１５】
前記通水樋４の幅寸法は目地ｓの間隔よりも狭く設定されており、非固定側の側縁４ｂと他方の床ｆとの間に適宜の隙間を生じさせ、床ｆ，ｆが左右方向（床の離近方向）に相対変位した場合にこれに追従し得るようにしている。
【００１６】
通水樋４の内部には他方の床ｆから延出された案内板９の下端が垂設される。該案内板９は、上端に略クランク形の取付け部１０が形成された傾斜縁９ａと，該傾斜縁９ａの下端に連成された垂下縁９ｂとを備え、前記取付け部１０を、他方の受枠体２の下部受縁２ｂの下面に基部を固着して垂設したモルタル止めプレート７ｂに固定することにより、垂下縁９ｂを通水樋４の内部に垂下させている。この垂下縁９ｂは、通水樋４の側縁４ｂに対して適宜の隙間が生じるように垂下され、床ｆ，ｆが左右方向に相対変位した場合にこれに追従し得るようにしている。また前記取付け部１０と下部受縁２ｂとの間に生ずる隙間には止水用のシーリング材８が充填される。
【００１７】
一方、１２は、前記受枠体２，２間に差し渡されて目地ｓを覆うカバー板であって、該カバー板１２は、浅底状箱枠１３を基体として構成され、該箱枠１３は、底板１４上に左右の側板１５、１５と前後の側板１６、１６とを矩形状に組み付けて固定し、内部にモルタルｍ等の床仕上材２６が充填される凹部１７を生ずるようにして形成される。また、前記底板１４の左右の端縁は前記側板１５、１５から若干突出させ、これを箱枠１３の突出端縁１８，１８としている。
【００１８】
尚、前記凹部１７に通水性を持たせるために、前記底板１４に通水孔を適宜に形成し、かつ凹部１７内に透水性モルタルを充填するようにしてもよい。
【００１９】
前記浅底状箱枠１３の左右側面には適宜間隔で複数の足板１９が配設される。この足板１９は、図３に示すように、内側縁の中段位置に形成された嵌合溝２０に前記箱枠１３の突出端縁１８，１８を嵌合した状態で、その嵌合位置及び側板１５、１５と当接する内側縁の適宜位置を溶接することにより、下端を底板１４の下方に突出した状態で浅底状箱枠１３の左右側面に適宜間隔で固着される。
【００２０】
ここで前記足板１９を、その嵌合溝２０に箱枠１３の突出端縁１８，１８を嵌入して接合するようにしたから、上下方向の荷重に対して所定の強度を備えた接合状態が得られる。
【００２１】
各足板１９の上端には、本実施形態にあっては、略中央位置に二つの配列溝２１，２１が形成され、該配列溝２１，２１に縁取り桟２２，２２を嵌合して溶接することにより、該縁取り桟２２，２２が浅底状箱枠１３の左右側面に沿って横架される。これにより、両縁取り桟２２，２２の間、及び側板１５と内方に位置する縁取り桟２２との間に通水間隙２３，２３が形成される。
【００２２】
また、浅底状箱枠１３の左右両側には通水間隙２３，２３を介して側部カバー２４，２４が夫々配設される。該側部カバー２４，２４は、外方に位置する各縁取り桟２２，２２の上端に一端が固着され、他端を外方に突成して前記上部受縁２ｃ，２ｃ上に延出される。また、該側部カバー２４，２４の底面には、適宜間隔で複数のスぺーサ２５が固着され、被着状態で上部受縁２ｃ，２ｃとの間に通水用の間隙２９が生ずるようにしている。尚、側部カバー２４，２４は、受枠体２，２がＬ字形に形成されている場合には、床ｆ，ｆを構成するモルタルや床仕上材の上面に延出されることとなる。
【００２３】
また、浅底状箱枠１３の前記凹部１７には、周囲の床ｆ，ｆに敷設される床仕上材２６と同一のモルタルｍ及びタイルｔ等からなる床仕上材２６が充填される。
【００２４】
而して、これによりカバー板１２が構成される。そして、このカバー板１２を、左右の受枠体２，２に上方から被着し、該受枠体２，２の下部受縁２ｂ，２ｂに前記足板１９を支持させて、両受枠体２，２間に差し渡すことにより目地ｓを覆うようにしている。またこの状態において、側部カバー２４，２４は受枠体２，２の上部受縁２ｃ，２ｃ上に延出し、その下方のカバー板１２と受枠体２，２との間に生ずるカバー板１２の作動空隙２８．２８を遮蔽することとなる。
【００２５】
尚、カバー板１２は、所定の長さ寸法に形成されており、これを目地ｓに沿って複数枚連続して配設するようにしている。また、カバー板１２と左右の受枠体２，２との間には、一端がカバー板１２の側縁に固定された発条２７，２７が介装され、その弾発力によってカバー板１２を目地ｓの中央位置に保持させるようにしている。
【００２６】
この被着状態にあって、前記通水間隙２３，２３と、足板１９によってカバー板１２と受枠体２，２の下部受縁２ｂ，２ｂとの間に生じる間隙とにより、通水間隙２３，２３から目地ｓ内の通水樋４に至る通水路が形成され、周囲の床ｆ，ｆ上及びカバー板１２上の雨水等は、該通水路を介して通水樋４に流入し、配水管１１から排水される。また、一部の雨水等は、側部カバー２４，２４の底面と上部受縁２ｃ，２ｃとの間に生ずる間隙２９から流入し、前記通水路の雨水等と合流して排水される。
【００２７】
また、保守点検や交換時、或は通水樋４の清掃時等において、カバー板１２を着脱する場合には、該カバー板１２が左右の受枠体２，２に上方から被着してあるだけなので、上方にそのまま引き上げるだけで開放でき、その着脱を容易に行なうことができる。
【００２８】
一方、左右の床ｆ，ｆの相対変位に対する目地カバー装置としての追従機能としては、床ｆ，ｆが左右方向もしくは前後方向（目地ｓに沿う方向）に相対変位した場合には、カバー板１２が足板１９を介して受枠体２，２の下部受縁２ｂ，２ｂ上を摺動し、該カバー板１２と受枠体２，２とが相対的に左右移動もしくは前後移動することにより、前記床ｆ，ｆの相対変位に追従する。また、床ｆ，ｆが上下方向に相対変位した場合には、受枠体２，２の高低差によりカバー板１２が傾斜して、その相対変位に追従する。従って、カバー板１２は床ｆ，ｆの前後左右及び上下方向の各相対変位に追従し、目地ｓを支障なく覆うことができる。
【００２９】
図４は、カバー板１２の位置決め手段の一例を示すものであって、カバー板１２の左右両側で、外方に位置する各縁取り桟２２，２２の一端を、浅底状箱枠１３を構成する前後の側板１６，１６の、その一方の側板１６から若干突出させて係合突起３０，３０とし、他端を逆に窪ませておく。また、前記側板１６，１６の左右両端は、前記縁取り桟２２，２２の内側縁に対応する位置まで延成されている。
【００３０】
そして、複数のカバー板１２を目地ｓに沿って連続状に配設する場合において、前記係合突起３０，３０を、隣接するカバー板１２の側板１６の左右両端縁に係合させることにより、各カバー板１２の左右方向のずれが防止され、各カバー板１２を一列状に整然と連設することができる。
【００３１】
次に、本発明の第２の実施形態を図５，図６について説明する。
この実施形態は、前記第１の実施形態におけるカバー板１２の構成を変更したものであり、その他の同一の構成には同一符合を付してその説明を省略する。
【００３２】
このカバー板１２は、左右に分割された浅底状箱枠３１，３１を、所定間隔を置いて連結してなる分割箱枠対３２として構成される。両浅底状箱枠３１，３１は、前後の側板３３、３３を共通にして組み付けられ、また、底板３４、３４間に差し渡された複数の連結部材３５によって連結される。
【００３３】
両浅底状箱枠３１，３１間に生ずる間隙の上部には、その対向する内壁３６ａ，３６ａに複数の担持板３７の両端が固定され、該担持板３７上に適宜数の縁取り桟２２を等間隔で固定して、該縁取り桟２２を前記内壁３６ａ，３６ａの側面に沿って横架し、各縁取り桟２２の間に複数の通水間隙３８を形成するようにしている。
【００３４】
また、分割箱枠対３２の左右側縁となる両浅底状箱枠３１，３１の外壁３６ｂ，３６ｂは、その上部が外方に突成され、この突成部を受枠体２，２の上部受縁２ｃ，２ｃ上に延出する側部カバー３９，３９としている。また、該側部カバー３９，３９の底面には、適宜間隔で複数のスぺーサ２５が固着され、被着状態で上部受縁２ｃ，２ｃとの間に通水用の間隙２９，２９が生ずるようにしている。
【００３５】
さらに、両浅底状箱枠３１，３１の底板３４、３４には、分割箱枠対３２の底面の四隅となる位置に、受枠体２，２の下部受縁２ｂ，２ｂに摺動可能に支持される足杆４０が夫々固着される。また、各足杆４０によって、被着状態で下部受縁２ｂ，２ｂとの間に通水用の間隙が生ずるようにしている。
【００３６】
また、両浅底状箱枠３１，３１内には、周囲の床ｆ，ｆに敷設される床仕上材２６と同一のモルタルｍ及びタイルｔ等からなる床仕上材２６が充填される。
【００３７】
而して、これによりカバー板１２が構成される。そして、このカバー板１２を、左右の受枠体２，２に上方から被着し、該受枠体２，２の下部受縁２ｂ，２ｂに前記足杆４０，４０を支持させて、両受枠体２，２間に差し渡すことにより目地ｓを覆うようにしている。またこの状態において、側部カバー３９，３９は受枠体２，２の上部受縁２ｃ，２ｃ上に延出し、その下方のカバー板１２と受枠体２，２との間に生ずるカバー板１２の作動空隙２８．２８を遮蔽することとなる。
【００３８】
尚、カバー板１２は、所定の長さ寸法に形成されており、これを目地ｓに沿って複数枚連続して配設するようにしている。また、カバー板１２と左右の受枠体２，２との間には、一端が受枠体２，２の垂直縁２ａ，２ａに固定された発条４１，４１が介装され、その弾発力によってカバー板１２を目地ｓの中央位置に保持させるようにしている。
【００３９】
この被着状態にあって、周囲の床ｆ，ｆ上及びカバー板１２上の雨水等は、前記通水間隙３８から目地ｓ内の通水樋４に流入し、配水管１１から排水される。また、側部カバー３９，３９の底面に生ずる間隙２９，２９と、足杆４０によってカバー板１２と受枠体２，２の下部受縁２ｂ，２ｂとの間に生じる間隙とにより、前記間隙２９，２９から目地ｓ内の通水樋４に至る通水路が形成され、該通水路を介して一部の雨水等を排水させることができる。
【００４０】
また、カバー板１２は、左右の受枠体２，２に上方から被着してあるだけなので、上方にそのまま引き上げるだけで開放でき、その着脱を容易に行なうことができる。
【００４１】
また、左右の床ｆ，ｆの相対変位に対する目地カバー装置としての追従機能は、前記第１の実施形態のものと同様の追従機能が得られる。
【００４２】
尚、前記第１，第２の実施形態においては、内部に床仕上材２６を充填することができるように浅底状箱枠１３，３１を用いてカバー板１２を構成するようにしているが、該カバー板１２は、天板の周側部に側板を配設して構成したり、或は、平板状に形成することも可能である。
【００４３】
【発明の効果】
本発明は、上述のように、目地の両側の床に固定した受枠体に、目地と連通する通水間隙を備えたカバー板を差し渡して目地を覆うとともに、カバー板の下方位置で、通水樋を一方の床に固定して目地内に配設し、他方の床から延出させた案内板の下端を前記通水樋の内部に垂設させるようにしたから、カバー板の通水間隙から目地内に流入する雨水や床掃除の汚水等を、該目地内に配設された通水樋によって排水することができる。
【００４４】
また、カバー板を、左右の受枠体に上方から被着し、そのまま上方に引き上げるだけで開放できるようにしたから、保守点検や交換時、或は通水樋の清掃時等において、その着脱を容易に行ない得る等の優れた効果がある。
【図面の簡単な説明】
【図１】本発明に係る目地カバー装置の第１実施形態を表わす縦断側面図である。
【図２】同上の平面図である。
【図３】同上の要部の縦断側面図である。
【図４】第１実施形態におけるカバー板の位置決め手段の斜視図である。
【図５】本発明に係る目地カバー装置の第２実施形態を表わす縦断側面図である。
【図６】同上の平面図である。
【図７】従来の目地カバー装置を示す縦断側面図である。
【符号の説明】
１  床用目地カバー装置
２  受枠体
４  通水樋
９  案内板
１２  カバー板
１３  浅底状箱枠
１９  足板
２２  縁取り桟
２３  通水間隙
２４  側部カバー
２６  床仕上材
３０  係合突起
３１  浅底状箱枠
３２  分割箱枠対
３８  通水間隙
３９  側部カバー
Ｂ  隅部
ｆ  床
ｓ  目地
ｍ  モルタル
【図１】
0003682322.tif 000002
【図２】
0003682322.tif 000003
【図３】
0003682322.tif 000004
【図４】
0003682322.tif 000005
【図５】
0003682322.tif 000006
【図６】
0003682322.tif 000007
【図７】
0003682322.tif 000008